(57)【要約】      （修正有）【課題】テレコミュニケーション・ネットワーク用の試験装置およびテレコミュニケーション・ネットワークの試験方法を提供する【解決手段】テレコミュニケーション・ネットワーク用の試験装置が、ビット・ストリームを供給する各シミュレーション・モバイル端末と、ビット・ストリームを受け取る、ＳＤＲステージとを含み、これらのＳＤＲステージは、ＳＤＲアップリンク・ステージとＳＤＲダウンリンク・ステージとを有する。ＳＤＲアップリンク・ステージは、ビット・ストリームをベースバンド信号に変換する少なくとも１つの処理分岐と、ベースバンド信号のマッピングによって、アップリンク・サブキャリア・ベクトルを生成するマッピング・モジュールと、サブキャリア・ベクトルのうちの少なくとも１つのアップリンク・サブキャリア・ベクトルと結合するセル間干渉モジュールと、ベースバンド信号の逆変換を実行する逆変換モジュールと、を備える。【選択図】図３
2017112599.tif 000002
【特許請求の範囲】
【請求項１】
ＯＦＤＭまたはＳＣ−ＦＤＭＡ技術に基づくテレコミュニケーション・ネットワーク用の試験装置であって、
ビット・ストリーム（ＢＳ１、…、ＢＳＭ）を一通信規格に従って供給するように構成されている、複数のシミュレーション・モバイル端末（１１）と、
各シミュレーション・モバイル端末（１１）の前記ビット・ストリーム（ＢＳ１、…、ＢＳＭ）を受け取って、テレコミュニケーション・ネットワークの各基地局（３）と通信可能に結合するように構成されている、複数のＳＤＲステージ（１２．１、…、１２．Ｎ）であって、ＳＤＲアップリンク・ステージ（１４．１、…、１４．Ｎ）とＤＲダウンリンク・ステージ（１５．１、…、１５．Ｎ）と、を有している、複数のＳＤＲステージ（１２．１、…、１２．Ｎ）と、
を備え、
少なくとも１つのＳＤＲアップリンク・ステージ（１４．１）が、
前記ビット・ストリーム（ＢＳ１１、…、ＢＳ１Ｍ）を受け取るために、前記複数のシミュレーション・モバイル端末（１１）のうちの対応する１つに結合され、前記ビット・ストリーム（ＢＳ１１、…、ＢＳ１Ｍ）を、周波数領域のベースバンド信号（ＳＢＢ１１、…、ＳＢＢ１Ｍ）に変換するように構成されている、少なくとも１つの並列処理分岐（１７）であって、前記ベースバンド信号（ＳＢＢ１１、…、ＳＢＢ１Ｍ）が、一定時間間隔ごとに割り当てられた各サブキャリアに関連する振幅と位相とを表す、少なくとも１つの並列処理分岐（１７）と、
前記ベースバンド信号（ＳＢＢ１１、…、ＳＢＢ１Ｍ）のマッピングによって、アップリンク・サブキャリア・ベクトル（ＳＡＵ１、…、ＳＡＵＮ）を生成するように構成されているマッピング・モジュール（２５）であって、前記マッピングでは、前記ベースバンド信号（ＳＢＢ１１、…、ＳＢＢ１Ｍ）が変調のために１つのサブキャリアに割り当てられる、マッピング・モジュール（２５）と、
前記ＳＤＲステージ（１２．１）の前記アップリンク・サブキャリア・ベクトル（ＳＡＵ１）を、他の前記ＳＤＲステージ（１２．２、…、１２．Ｎ）のうちの少なくとも１つの前記アップリンク・サブキャリア・ベクトル（ＳＡＵ２、…、ＳＡＵＮ）と結合するように構成されている、アップリンク・セル間干渉モジュール（２７）と、
前記ベースバンド信号（ＳＢＢ１１、…、ＳＢＢ１Ｍ）の逆変換を実行するように構成されている、逆変換モジュール（２８）と、
を備えている、装置。
【請求項２】
前記アップリンク・セル間干渉モジュール（２７）が、そのアップリンク・セル間干渉モジュール（２７）の前記ＳＤＲステージ（１２．１）以外の、前記ＳＤＲステージ（１２．２、…、１２．Ｎ）の前記アップリンク・サブキャリア・ベクトル（ＳＡＵ２、…、ＳＡＵＮ）に、アップリンク伝達関数（ＴＦＵ２、…、ＴＦＵＮ）を適用するように構成されている、請求項１に記載の装置。
【請求項３】
前記アップリンク伝達関数（ＴＦＵ２、…、ＴＦＵＮ）がサブキャリアに依存する、請求項２に記載の装置。
【請求項４】
前記アップリンク伝達関数（ＴＦＵ２、…、ＴＦＵＮ）が時間変動する、請求項２または３に記載の装置。
【請求項５】
前記アップリンク伝達関数（ＴＦＵ２、…、ＴＦＵＮ）がパラメータによって定義され、
前記アップリンク伝達関数（ＴＦＵ２、…、ＴＦＵＮ）の前記パラメータを決定するように構成されている制御ユニット（７）をさらに備えている、請求項２から４のいずれか一項に記載の装置。
【請求項６】
前記アップリンク・セル間干渉モジュール（２７）が、
アップリンク・サブキャリア・ベクトル（ＳＡＵ２、…、ＳＡＵＮ）から、アップリンク伝達関数（ＴＦＵ２、…、ＴＦＵＮ）によって、干渉信号（ＩＳ２、…、ＩＳＮ）を決定するように構成されている、複数の処理モジュール（３９．２、…、３９．Ｎ）と、
前記ＳＤＲステージ（１２．１）の前記アップリンク・サブキャリア・ベクトル（ＳＡＵ１）を、前記干渉信号（ＩＳ２、…、ＩＳＮ）に加算するように構成されている、加算器ノード（３８）と、
を備えている、請求項２から５のいずれか一項に記載の装置。
【請求項７】
各ＳＤＲアップリンク・ステージ（１４．１）が、
前記ビット・ストリーム（ＢＳ１１、…、ＢＳ１Ｍ）を受け取るために、前記各シミュレーション・モバイル端末（１１）に結合され、前記ビット・ストリーム（ＢＳ１１、…、ＢＳ１Ｍ）を、周波数領域のベースバンド信号（ＳＢＢ１、…、ＳＢＢＭ）に変換するように構成されている、複数の並列処理分岐（１７）と、
前記ベースバンド信号（ＳＢＢ１１、…、ＳＢＢ１Ｍ）のマッピングによって、アップリンク・サブキャリア・ベクトル（ＳＡＵ１、…、ＳＡＵＮ）を生成するように構成されている、マッピング・モジュール（２５）であって、前記マッピングでは、各ベースバンド信号（ＳＢＢ１１、…、ＳＢＢ１Ｍ）が変調のために１つのサブキャリアに割り当てられる、マッピング・モジュール（２５）と、
前記ＳＤＲステージ（１２．１）の前記アップリンク・サブキャリア・ベクトル（ＳＡＵ１）を、他の前記ＳＤＲステージ（１２．２、…、１２．Ｎ）の前記アップリンク・サブキャリア・ベクトル（ＳＡＵ２、…、ＳＡＵＮ）と結合するように構成されている、アップリンク・セル間干渉モジュール（２７）と、
前記ベースバンド信号（ＳＢＢ１１、…、ＳＢＢ１Ｍ）の逆変換を実行するように構成されている、逆変換モジュール（２８）と、
を備えている、請求項１から６のいずれか一項に記載の装置。
【請求項８】
少なくとも１つのＳＤＲダウンリンク・ステージ（１５．１）が、
前記各シミュレーション・モバイル端末（１１）に結合される、複数のダウンリンク並列処理分岐（４５）と、
前記テレコミュニケーション・ネットワークの基地局（３）からの信号を受け取り、前記受け取った信号の無線周波数―ベースバンド変換、アナログ−デジタル変換、およびシリアル−パラレル変換を実行するように構成されている、受信器ステージ（１３．１、４０）と、
前記受信器ステージ（１３．１、４０）から供給され、ダウンリンク・サブキャリア・ベクトル（ＳＡＤ１）を供給するように構成されている、変換モジュール（４２）と、
前記ＳＤＲステージ（１２．１）の前記ダウンリンク・サブキャリア・ベクトル（ＳＡＤ１）と、他の前記ＳＤＲステージ（１２．２、…、１２．Ｎ）のうちの少なくとも１つの前記ダウンリンク・サブキャリア・ベクトル（ＳＡＤ２、…、ＳＡＤＮ）との組合せから、それぞれの変形ダウンリンク・サブキャリア・ベクトル（ＳＡＤ１’）を生成するように構成されている、ダウンリンク・セル間干渉モジュール（４３）と、
前記変形ダウンリンク・サブキャリア・ベクトル（ＳＡＤ１’）からベースバンド信号（ＳＢＢ１１、…、ＳＢＢ１Ｍ）を決定し、そのベースバンド信号（ＳＢＢ１１、…、ＳＢＢ１Ｍ）を前記各シミュレーション・モバイル端末（１１）に供給するように構成されている、デマッピング・モジュール（４４）と、
を備えている、請求項１から７のいずれか一項に記載の装置。
【請求項９】
前記ダウンリンク・セル間干渉モジュール（４３）が、そのダウンリンク・セル間干渉モジュール（４３）の前記ＳＤＲステージ（１２．１）以外の、前記ＳＤＲステージ（１２．２、…、１２．Ｎ）の前記ダウンリンク・サブキャリア・ベクトル（ＳＡＤ２、…、ＳＡＤＮ）に、ダウンリンク伝達関数（ＴＦＤ２、…、ＴＦＤＮ）を適用するように構成されている、請求項８に記載の装置。
【請求項１０】
各ＳＤＲダウンリンク・ステージ（１５．１）が、
前記各シミュレーション・モバイル端末（１１）に結合される、複数のダウンリンク並列処理分岐（４５）と、
前記テレコミュニケーション・ネットワークの基地局（３）からの信号を受け取り、前記受け取った信号の無線周波数−ベースバンド変換、アナログ−デジタル変換、およびシリアル−パラレル変換を実行するように構成されている、受信器ステージ（１３．１、４０）と、
前記受信器ステージ（１３．１、４０）から供給され、ダウンリンク・サブキャリア・ベクトル（ＳＡＤ１）を供給するように構成されている、変換モジュール（４２）と、
前記ＳＤＲステージ（１２．１）の前記ダウンリンク・サブキャリア・ベクトル（ＳＡＤ１）と、他の前記ＳＤＲステージ（１２．２、…、１２．Ｎ）のうちの少なくとも１つの前記ダウンリンク・サブキャリア・ベクトル（ＳＡＤ２、…、ＳＡＤＮ）との組合せから、変形ダウンリンク・サブキャリア・ベクトル（ＳＡＤ１’）を生成するように構成されている、ダウンリンク・セル間干渉モジュール（４３）と、
前記変形ダウンリンク・サブキャリア・ベクトル（ＳＡＤ１’）からベースバンド信号（ＳＢＢ１１、…、ＳＢＢ１Ｍ）を決定し、そのベースバンド信号（ＳＢＢ１１、…、ＳＢＢ１Ｍ）を前記各シミュレーション・モバイル端末（１１）に供給するように構成されている、デマッピング・モジュール（４４）と、
を備えている、請求項８または９に記載の装置。
【請求項１１】
ＯＦＤＭまたはＳＣ−ＦＤＭＡ技術に基づくテレコミュニケーション・ネットワークの試験方法であって、
一通信規格に従って複数のビット・ストリーム（ＢＳ１、…、ＢＳＭ）を供給するステップであって、前記複数のビット・ストリーム（ＢＳ１、…、ＢＳＭ）のそれぞれが各シミュレーション・モバイル端末（１１）を表すステップと、
前記ビット・ストリーム（ＢＳ１、…、ＢＳＭ）を処理するステップと、
複数の基地局（３）に、処理されたビット・ストリーム（ＢＳ１、…、ＢＳＭ）の各セットから導き出された信号を送信するステップと、を含み、
前記ビット・ストリームを処理するステップは、
前記ビット・ストリーム（ＢＳ１１、…、ＢＳ１Ｍ）を、一定時間間隔ごとに割り当てられた各サブキャリアに関連する振幅と位相とを表す、周波数領域のベースバンド信号（ＳＢＢ１１、…、ＳＢＢ１Ｍ）に変換するステップと、
前記ベースバンド信号（ＳＢＢ１１、…、ＳＢＢ１Ｍ）のマッピングによって、基地局（３）ごとにアップリンク・サブキャリア・ベクトル（ＳＡＵ１、…、ＳＡＵＮ）を生成するステップであって、前記マッピングでは、各ベースバンド信号（ＳＢＢ１１、…、ＳＢＢ１Ｍ）が変調のために１つのサブキャリアに割り当てられるステップと、
一基地局（３）に関連する前記アップリンク・サブキャリア・ベクトル（ＳＡＵ１）を、他の前記基地局（３）のうちの少なくとも１つの前記アップリンク・サブキャリア・ベクトル（ＳＡＵ２、…、ＳＡＵＮ）と結合するステップと、
前記ベースバンド信号（ＳＢＢ１１、…、ＳＢＢ１Ｍ）の逆変換を実行するステップと、
を含む、方法。
【請求項１２】
前記テレコミュニケーション・ネットワークの前記基地局（３）からの、各シミュレーション・モバイル端末（１１）に向けられた、信号の各セットを受け取るステップと、
前記受け取った信号のセットの無線周波数−ベースバンド変換、アナログ−デジタル変換、およびシリアル−パラレル変換を実行するステップと、
信号の各セットから、ダウンリンク・サブキャリア・ベクトル（ＳＡＤ１）を生成するステップと、
前記信号のセットのうちの１つの前記ダウンリンク・サブキャリア・ベクトル（ＳＡＤ１）と、他の前記信号のセットのうちの少なくとも１つの前記ダウンリンク・サブキャリア・ベクトル（ＳＡＤ２、…、ＳＡＤＮ）との組合せから、変形ダウンリンク・サブキャリア・ベクトル（ＳＡＤ１’）を生成するステップと、
前記変形ダウンリンク・サブキャリア・ベクトル（ＳＡＤ１’）から、ベースバンド信号（ＳＢＢ１１、…、ＳＢＢ１Ｍ）を決定するステップと、
各シミュレーション・モバイル端末（１１）に、ベースバンド信号（ＳＢＢ１１、…、ＳＢＢ１Ｍ）を供給するステップと、
をさらに含む、請求項１１に記載の方法。
【発明の詳細な説明】
【技術分野】
【０００１】
本発明は、テレコミュニケーション・ネットワーク用の試験装置およびテレコミュニケーション・ネットワークの試験方法に関する。
【背景技術】
【０００２】
周知のように、無線テレコミュニケーション・システムは、１つのネットワーク・インフラと複数のモバイル端末を含んでいる。ネットワーク・インフラは一般に、１つまたは複数の相互接続された管理センタと複数の無線基地局を含んでいる。各無線基地局は、所与の区域を確実に網羅するように構成され、それぞれの管理センタと通信する。各モバイル端末は、１つまたは複数の無線基地局を介してネットワーク・インフラにリンクする。モバイル端末は、例えば携帯電話やポータブル・コンピュータ、無線周波数接続機能付きのパームトップなどを含みうる。
【０００３】
ネットワーク・インフラは、その適正動作の検証が可能な試験を受ける必要がある。様々な理由により、ネットワーク・インフラの全体またはその一部分の試験が必要になりうる。例えば、設計および実装段階では、無線基地局の機能を、故障または通信プロトコルのエラーの状況をシミュレーションするように動作の変更が可能な１つまたは複数の端末と接続している状態で、検証する必要がありうる。さらに、同時に作動中の複数のユーザ端末によって決まるネットワーク負荷の存在下で、無線基地局の想定動作を検証する必要もありうる。
【０００４】
さらに、無線基地局の最も重要な機能の１つになりつつあるのが、無線リソースの管理である。無線リソースの管理とはすなわち、利用可能な帯域の使用を最適化できること、干渉と再送信の要求を最小限にできること、複数の端末で得られうる性能を最大限にできることである。最も注意を要する状況が生じるのは、セルが網羅するエリア内、特にいわゆるセル境界エリア、すなわち隣接するセル間の境界領域に、複数のユーザが分散しているときである。こうした状況には、現実的な条件での正確な検証が必要になるが、そういった条件は、従来の端末集団全体向けのチャンネル・シミュレータを単体で用いても、作り出せない可能性がある。
【０００５】
移動無線通信システムに関する試験の設計および実装で考慮すべき主な問題の１つは、伝送スループットを犠牲にしないため、隣接する頻度が高いセル同士で同じリソースブロック（すなわち、所与のタイムスロットに対するサブキャリアのセット）の使用が許可されてしまうことに由来する。モバイル端末は移動中のことが多く、セル間の干渉のおそれのあるセル境界領域にしばしば位置する。実際に、セル境界領域では、サービング・セルとモバイル端末との通信が、同じリソースブロックを使用する隣接セルからの信号で妨害されうる。
【０００６】
当然ながら、この試験実施過程をより信頼性があるものにするためには、セル間の干渉現象を、適切なシミュレーションによって調査することが得策である。特に実際の使用条件では、通信ネットワーク内で、様々な移動プロファイルを有する多数のモバイル端末が、同一セルに同時に接続される可能性がある。
【０００７】
ＯＦＤＭ変調に基づくテレコミュニケーション・ネットワークの複雑さは、その変調方式と無線リソースの管理によるものであるが、このように複雑になると、互いに独立した多数のモバイル端末を有する無線環境のシミュレーションに基づく検証／妥当性確認技術が必要になる。
【０００８】
しかしながら、現在利用可能なモバイル端末シミュレータは、その構造、機能および必要な計算負荷に関して、十分に多数のモバイル端末集団によるセル間干渉現象のシミュレーションには適さない。
【発明の概要】
【発明が解決しようとする課題】
【０００９】
したがって、本発明の目的は、上述の制約を克服可能な、ＯＦＤＭまたはＳＣ−ＦＤＭＡ技術に基づくテレコミュニケーション・ネットワーク用の試験装置と、ＯＦＤＭまたはＳＣ−ＦＤＭＡ技術に基づくテレコミュニケーション・ネットワークの試験方法を提供することである。
【課題を解決するための手段】
【００１０】
本発明によれば、請求項１、請求項１１にそれぞれ記載の、ＯＦＤＭまたはＳＣ−ＦＤＭＡ技術に基づくテレコミュニケーション・ネットワーク用の試験装置と、ＯＦＤＭまたはＳＣ−ＦＤＭＡ技術に基づくテレコミュニケーション・ネットワークの試験方法が提供される。
【００１１】
次に本発明について、添付の図面を参照して詳細に説明する。添付の図面には、本発明のいくつかの非限定的な実施形態の例が示されている。
【図面の簡単な説明】
【００１２】
【図１】無線テレコミュニケーション・ネットワークの簡略化したブロック図である。
【図２】図１の無線テレコミュニケーション・ネットワークで使用されうる、本発明の第１の実施形態によるＯＦＤＭまたはＳＣ−ＦＤＭＡ技術に基づくテレコミュニケーション・ネットワーク用の試験装置と、ＯＦＤＭまたはＳＣ−ＦＤＭＡ技術に基づくテレコミュニケーション・ネットワークの試験方法の、簡略化したブロック図である。
【図３】図２の試験装置に組み込まれたＳＤＲ（ソフトウェア無線）送信器ステージの詳細なブロック図である。
【図４】図３のＳＤＲアップリンク・ステージの一部分の詳細なブロック図である。
【図５】図３のＳＤＲアップリンク・ステージの第１の構成要素の詳細なブロック図である。
【図６】図３のＳＤＲアップリンク・ステージの第２の構成要素の詳細なブロック図である。
【図７】図２の試験装置に組み込まれたＳＤＲダウンリンク・ステージの詳細なブロック図である。
【図８】図７のＳＤＲダウンリンク・ステージの一部分の詳細なブロック図である。
【図９】図７のＳＤＲダウンリンク・ステージの第１の構成要素の詳細なブロック図である。
【図１０】図７のＳＤＲダウンリンク・ステージの第２の構成要素の詳細なブロック図である。
【発明を実施するための形態】
【００１３】
図１に、本発明の一実施形態によるテレコミュニケーション・ネットワーク１が簡略化した形で示されている。テレコミュニケーション・ネットワーク１は、周波数分割または時分割多元接続無線テレコミュニケーション・ネットワークである。一実施形態では、例えば、テレコミュニケーション・ネットワーク１は、ＯＦＤＭ（Orthogonal Frequency Division Multiplexing、直交周波数分割多重化）技術またはＳＣ−ＦＤＭＡ（Single Carrier-Frequency Division Multiple Access、シングルキャリア周波数分割多元接続）技術に基づくネットワーク、具体的にはＬＴＥネットワークである。テレコミュニケーション・ネットワーク１は、ネットワーク・サブシステム２と、複数の無線基地局またはｅＮｏｄｅＢ３と、複数のモバイル端末４を備える。以下、「無線テレコミュニケーション・システム」は、少なくともモバイル端末とネットワーク・インフラの間のリンクが無線周波数接続によって得られるテレコミュニケーション・システムを意味する。
【００１４】
ここで説明する例では、モバイル端末４が接続されうるネットワーク・インフラが、ネットワーク・サブシステム２と、そこに恒久的に接続されるｅＮｏｄｅＢ３とによって定義される。具体的には、モバイル端末４は、複数のｅＮｏｄｅＢ３のうちの１つを介してリンクを確立できる。このｅＮｏｄｅＢ３は、実装された規格によって規定される方式に従って、信号の送受信を最適化するように選択される。図１にさらに、モバイル端末シミュレータ５が示されている。モバイル端末シミュレータ５は、テレコミュニケーション・システム１またはその一部分の機能性を試験するために、ｅＮｏｄｅＢ３のうちの少なくとも１つに接続される。
【００１５】
具体的には、モバイル端末シミュレータ５は、モバイル端末の集団、通信チャンネルによって引き起こされる外乱、および上記集団の構成要素ごとのセル間干渉の、複数の異なる条件でのシミュレーションを可能にする。
【００１６】
図２に示されているように、モバイル端末シミュレータ５は、制御ユニット７と、プロトコル・シミュレータ・ステージ８と、ＳＤＲ（Software-Defined Radio、ソフトウェア無線）ユニット１０と、を備える。
【００１７】
プロトコル・シミュレータ・ステージ８は、複数のシミュレーション・エンジンを作成するように構成される。各シミュレーション・エンジンは１つのシミュレーション・モバイル端末１１を定義する。したがって、シミュレーション・エンジンのセットは、テレコミュニケーション・システム１のｅＮｏｄｅＢ３の１つまたは複数と通信するシミュレーション・モバイル端末１１の集団を定義する。このシミュレーションは、一通信規格のプロトコル・スタックを実装することによって得られる。シミュレーション・モバイル端末１１はさらに、登録や通話、データ転送などのモバイル端末の典型的な機能を実行するように構成される。各シミュレーション・モバイル端末１１は、実装された通信規格に従ってデータ系列と制御シーケンスを含んだ、それぞれのビット・ストリームを供給する。
【００１８】
ＳＤＲユニット１０は、複数のＳＤＲステージ１２．１、…、１２．Ｎを作成するように構成される。各ＳＤＲステージは、それぞれの送信器／受信器ステージ１３．１、…、１３．Ｎを介して、それぞれのｅＮｏｄｅＢ３に、アップリンクおよびダウンリンクで接続される。各ＳＤＲステージ１２．１、…、１２．Ｎは、シミュレーション・モバイル端末１１のセット（要素が１つだけの場合もある）と、対応するｅＮｏｄｅＢ３（そのシミュレーション・モバイル端末１１のセットのためのサービング・セルとして機能する）との間における、通信チャンネルをシミュレーションする。具体的には、各ＳＤＲステージ１２．１、…、１２．Ｎは、それぞれのＳＤＲアップリンク・ステージ１４．１、…、１４．ＮとそれぞれのＳＤＲダウンリンク・ステージ１５．１、…、１５．Ｎを備える。
【００１９】
図３に、ＳＤＲユニット１０の構造が、アップリンク動作モードに関して詳細に示されている。簡略化するために、図３には、ＳＤＲユニット１０の、アップリンク動作に関する部分のみが示されている。一実施形態では、ＳＤＲアップリンク・ステージ１４．１、…、１４．Ｎはいずれも同一の構造を有する。以下では、ＳＤＲアップリンク・ステージ１４．１だけについて詳細に説明する。ただし、記載した内容は、他の全てのＳＤＲアップリンク・ステージ１４．２、…、１４．Ｎにも適用されることが理解されよう。
【００２０】
ＳＤＲアップリンク・ステージ１４．１に、Ｍ個のシミュレーション・モバイル端末１１からなるセットが関連付けられる。各シミュレーション・モバイル端末１１は、それぞれのビット・ストリームＢＳ１１、…、ＢＳ１Ｍを供給する。
【００２１】
ＳＤＲアップリンク・ステージ１４．１は、複数の並列処理分岐１７と、１つのマッピング／変換ステージ１８を備え、対応する送信器／受信器モジュール１３．１に結合される。各並列処理分岐１７は、ビット・ストリームＢＳ１１、…、ＢＳ１Ｍのそれぞれを受け取るために、対応するシミュレーション・モバイル端末１１に結合される。
【００２２】
詳細には、各並列処理分岐１７は、シリアル−パラレル変換器２０と、シンボル発生器モジュール２１と、ＤＦＴ（Discrete Fourier Transform、離散フーリエ変換）モジュール２２と、チャンネル・シミュレータ・モジュール２３を備える。
【００２３】
各並列処理分岐１７のシリアル−パラレル変換器２０は、入力部でそれぞれのビット・ストリームＢＳ１１、…、ＢＳ１Ｍを受け取り、使用される変調方式（例えばＢＰＳＫ、１６ＱＡＭ、６４ＱＡＭなど）に応じて、１ワードにつきＫ個のビットからなるワードを形成する。このワードはシンボル発生器モジュール２１に供給される。シンボル発生器モジュール２１は、それ自体知られている形で、（ＰＳＫまたはＱＡＭ）コンスタレーションでマッピングを実行し、それによって変調ビット・ストリームを表現する複合サンプルを生成する。実際には、それぞれ１振幅と１位相（または等価的に実数部と虚数部）を有する２Ｋ個の複合点からなるコンスタレーション（シンボル）が、サブキャリアの１つに乗せて伝送されるＫビットを表現するために使用される。サブキャリアは、所与のモバイル端末に無線基地局３によって割り当てられる。Ｋビットからなる一定の組合せが、振幅値と位相値（または実数部と虚数部）の組に関連付けられる。ビット・ストリームは、このコンスタレーションの各シンボルに対応する、振幅値と位相値（または実数部と虚数部）の組の系列によって符号化される。伝送されるＫビットの系列に関連付けられたシンボルに従って、一定時間間隔ごとに割り当てられた各サブキャリアの振幅と位相が変調される。
【００２４】
したがって、シンボル発生器モジュール２１の出力は、各シミュレーション・モバイル端末１１に関連する、ベースバンドのスペクトル成分を定義する。
【００２５】
以下では、シンボル発生器モジュール２１から供給される複合サンプルを、サンプルＩＱと呼ぶ。したがって、シンボル発生器モジュール２１は、シミュレーション・モバイル端末１１から供給されたビット・ストリームＢＳ１１、…、ＢＳ１Ｍを符号化した、それぞれのサンプルＩＱ１１、…、ＩＱ１Ｍの系列を供給する。具体的には、サンプルＩＱ１１、…、ＩＱ１Ｍは、それぞれのビット・ストリームＢＳ１１、…、ＢＳ１Ｍの一部分のベースバンド表現になる。
【００２６】
ＤＦＴモジュール２２（ＳＣ−ＦＤＭＡ変調の場合のみに必要である）は、サンプルＩＱ１１、…、ＩＱ１Ｍのセットの離散フーリエ変換を計算する。実際には、ＤＦＴモジュール２２の出力は、接続されたシミュレーション・モバイル端末１１に割り当てられた帯域に対する、それぞれのベースバンド信号ＳＢＢ１１、…、ＳＢＢ１Ｍを供給する。ＤＦＴモジュール２２は、ＰＡＰＲ（Peak-to-Average Power Ratio、ピーク対平均電力比）を低減する効果を有する。
【００２７】
各ベースバンド信号ＳＢＢ１１、…、ＳＢＢ１Ｍは、一定時間間隔ごとに割り当てられたサブキャリアに関連付けられる振幅と位相を表現する。
【００２８】
ＯＦＤＭ変調の場合、ＤＦＴモジュール２２は存在せず、ベースバンド信号ＳＢＢ１１、…、ＳＢＢ１Ｍは、サンプルＩＱ１１、…、ＩＱ１Ｍで直接表される。
【００２９】
結果として、以下では、「ベースバンド信号ＳＢＢ１１、…、ＳＢＢ１Ｍ」は、ＳＣ−ＦＤＭＡ変調の場合はＤＦＴモジュール２２によって変形されたサンプルＩＱを意味し、ＯＦＤＭ変調の場合はサンプルＩＱを意味する。
【００３０】
実際に、各並列処理分岐１７では、シリアル−パラレル変換器２０、シンボル発生器モジュール２１、および（ＳＣ−ＦＤＭＡ変調の場合）ＤＦＴモジュール２２が変換ステージを形成し、これにより、それぞれのビット・ストリームＢＳ１、…、ＢＳＭが、それぞれ対応する周波数領域のベースバンド信号ＳＢＢ１、…、ＳＢＢＭに変換される。
【００３１】
チャンネル・シミュレータ・モジュール２３は、それぞれ対応する条件のチャンネル・モデルを基にしている。それぞれ異なる並列処理分岐１７のチャンネル・シミュレータ・モジュール２３は、それと同じ数だけの、例として想定される状況に対応した、それぞれ別個のチャンネル条件を実装している（例えば、閉鎖環境で静止状態にあるときや、閉鎖環境または屋外を徒歩で移動時、不規則な低速移動の輸送手段上、ほぼ一定の高速移動の輸送手段上などでのモバイル端末の使用に相当する）。以下に詳細に説明するように、チャンネル・シミュレータ・モジュール２３は、所与の条件で、ｅＮｏｄｅＢとそれに接続されたモバイル端末との間における通信チャンネルの影響をシミュレーションするために、対応するベースバンド信号ＳＢＢ１1に作用する。
【００３２】
各チャンネル・シミュレータ・モジュール２３は、それぞれ対応する変形ベースバンド信号ＳＢＢ１１’、…、ＳＢＢ１Ｍ’を供給する。
【００３３】
マッピング／変換ステージ１８は、マッピング・モジュール２５と、セル間干渉モジュール２７と、ＩＦＦＴ（Inverse Fast Fourier Transform、逆高速フーリエ変換）モジュール２８と、符号化モジュール２９と、パラレル−シリアル変換器３０と、を備える。
【００３４】
マッピング・モジュール２５は、入力部で並列処理分岐１７のチャンネル・シミュレータ・モジュール２３の出力を受け取り、変形ベースバンド信号ＳＢＢ１１’、…、ＳＢＢ１Ｍ’のマッピングを行う。このマッピングは、変調のために、各変形ベースバンド信号に１つのサブキャリアを割り当てる。マッピング・モジュール２５の入出力間の対応則は、ｅＮｏｄｅＢ３の無線リソース・マネージャによって定められる。無線リソース・マネージャは、時間間隔ごとにどの帯域／どのサブキャリアを使用するかを選択し、それを各モバイル端末に伝達する。実際には、マッピング・モジュール２５は、ｅＮｏｄｅＢ３から供給された設定によって制御されるマルチプレクサとして動作する。マッピング・モジュール２５の出力（したがってＩＦＦＴモジュール２８の入力）に対する変換は、１つのモバイル端末（この場合シミュレーション・モバイル端末１１）に割り当てられた帯域を用いた周波数変換と等価である。
【００３５】
マッピング・モジュール２５によって実行される処理の結果、アップリンク・サブキャリア・ベクトルＳＡＵ１が得られる。このベクトルは、ＳＤＲアップリンク・ステージ１４．１のセル間干渉モジュール２７に供給される。図４に明示されているように、ＳＤＲアップリンク・ステージ１４．１のアップリンク・サブキャリア・ベクトルＳＡＵ１は、他のＳＤＲアップリンク・ステージ１４．２、…、１４．Ｎのセル間干渉モジュール２７にも供給される。さらに、セル間干渉モジュール２７は、他のＳＤＲアップリンク・ステージ１４．２、…、１４．Ｎのアップリンク・サブキャリア・ベクトルＳＡＵ２、…、ＳＡＵＮを受け取る。一実施形態では、ＳＤＲアップリンク・ステージ１４．１のアップリンク・サブキャリア・ベクトルＳＡＵ１は、他のＳＤＲアップリンク・ステージ１４．２、…、１４．Ｎのうちの一部だけのセル間干渉モジュール２７に供給されうる。その代わりに、ＳＤＲアップリンク・ステージ１４．１のセル間干渉モジュール２７は、他のＳＤＲアップリンク・ステージ１４．２、…、１４．Ｎのうちの一部だけ（少なくとも１つ）のアップリンク・サブキャリア・ベクトルＳＡＵ２、…、ＳＡＵＮを受け取りうる。
【００３６】
セル間干渉モジュール２７は、隣接するｅＮｏｄｅＢ３が受け持つ各モバイル端末がそれぞれの通信チャンネルを介して通信することによる、セル間干渉の現象をシミュレーションするために、対応するＳＤＲアップリンク・ステージ１４．１のアップリンク・サブキャリア・ベクトルＳＡＵ１を、他のＳＤＲアップリンク・ステージ１４．２、…、１４．Ｎのアップリンク・サブキャリア・ベクトルＳＡＵ２、…、ＳＡＵＮと結合するように構成される。これらの干渉モバイル端末は、ＳＤＲアップリンク・ステージ１４．２、…、１４．Ｎを介してそれぞれのｅＮｏｄｅＢ３と通信するシミュレーション・モバイル端末１１によって定義される。干渉は、隣接するセルからの信号の重ね合わせによってもたらされ、この隣接するセルからの信号は、アップリンク・サブキャリア・ベクトルＳＡＵ１に対して重み付けされた、ＳＤＲアップリンク・ステージ１４．２、…、１４．Ｎのアップリンク・サブキャリア・ベクトルＳＡＵ２、…、ＳＡＵＮによって表される。
【００３７】
図３をもう一度参照すると、セル間干渉モジュール２７は、変形アップリンク・サブキャリア・ベクトルＳＡＵ１’をＩＦＦＴモジュール２８に供給する。
【００３８】
ＩＦＦＴモジュール２８は、逆フーリエ変換を計算し、処理を周波数領域から時間領域へ移す。
【００３９】
符号化モジュール２９は、シンボル間の干渉を最小限にするために、信号にサイクリック・プレフィックスを挿入する。
【００４０】
シリアル−パラレル変換器３０は、符号化モジュール２９から受け取った信号をアップリンクのサンプル・ストリームＢＳＴに変換する。サンプル・ストリームＢＳＴは、送信器／受信器モジュール１３．１、…、１３．Ｎに供給される。
【００４１】
送信器／受信器モジュール１３．１、…、１３．ＮはｅＮｏｄｅＢ３と通信結合され、シリアル−パラレル変換器３０から供給された信号をデジタル−アナログ変換し、フィルタリング処理し、ｅＮｏｄｅＢ３が使用する周波数帯域に変換する。
【００４２】
送信器／受信器モジュール１３．１、…、１３．Ｎと、それぞれのｅＮｏｄｅＢ３との接続は、有線モードで接続されうるコネクタを備えうる通信ポート（図示せず）によって、あるいは無線通信用のアンテナを介して行われる。ｅＮｏｄｅＢ３との接続は場合により、周波数変換を必要とせずに、ベースバンドで直接行われる。
【００４３】
図５に、ＳＤＲアップリンク・ステージ１４．１の並列処理分岐１７のうちの１つのチャンネル・シミュレータ・モジュール２３の構造が示されている。他の全てのＳＤＲアップリンク・ステージ１４．２、…、１４．Ｎの並列処理分岐１７のチャンネル・シミュレータ・モジュール２３は、同一の構造を有するが、実装される通信チャンネルのモデルに関しては異なりうることが理解されよう。
【００４４】
チャンネル・シミュレータ・モジュール２３は、チャンネル・フィルタ３０と、乗算器ノード３１と、複合ノイズ発生器３２と、加算器ノード３３と、を備える。
【００４５】
チャンネル・フィルタ３０は、時変係数のセット（例えば利得、極、零点など）によって識別される時変伝達関数によって、一形式の通信チャンネル・モデルを実装する。例えば、伝達関数は、閉鎖環境で静止状態にあるときや、閉鎖環境または屋外を徒歩で移動時、不規則な低速移動の輸送手段上、ほぼ一定の高速移動の輸送手段上などでのモバイル端末の使用をシミュレーションするように特徴付けられる。一実施形態では、チャンネル・フィルタ３０は、各形式の通信チャンネルに対応する様々な伝達関数を実装するようにプログラム可能になっている。その場合、チャンネル・フィルタ３０は、メモリ要素を備え、そこに、対応する伝達関数を特定する様々な係数セットが格納される。この係数セットは、行われる試験に応じてその都度選択される。
【００４６】
乗算器ノード３１は、チャンネル・シミュレータ・モジュール２３の上流にある処理モジュールから、割り当てられたサブキャリア向けのそれぞれ対応するベースバンド信号ＳＢＢ１１、…、ＳＢＢ１Ｍを受け取り、さらに、チャンネル・フィルタ３０の伝達関数を定義する係数セットを受け取る。この割り当てられたサブキャリア向けのベースバンド信号ＳＢＢ１１、…、ＳＢＢ１Ｍと伝達関数が乗算される。これは、それらの時間領域における畳み込みを計算することと等価である。
【００４７】
複合ノイズ発生器３２は、第１の乱数発生器３４ａおよび第２の乱数発生器３４ｂと、フィルタ３５と、を備える。第１の乱数発生器３４ａおよび第２の乱数発生器３４ｂは、それぞれノイズの実数部と虚数部に対する乱数を独立して供給する。この両乱数発生器３４ａ、３４ｂの出力に、フィルタ３５が周波数領域における畳み込みによって適用される（第１の乗算器ノード３６ａと第２の乗算器ノード３６ｂ）。フィルタ３５では、領域全体にわたってノイズスペクトル密度が完全に均一とみなされ得ないことを考慮に入れる。次いで、このノイズの実数部と虚数部が、加算器ノード３７によって加算される。
【００４８】
加算器ノード３３は、ベースバンド信号と、複合ノイズ発生器３２から供給されるノイズを加算結合する。したがって、この加算器ノードの出力は、モバイル端末から（この場合、モバイル端末シミュレータ５から）の信号に対する通信チャンネルの影響を考慮に入れた、周波数領域のベースバンド信号を供給する。
【００４９】
図６に、セル間干渉モジュール２７が詳細に示されている。そこには制御ユニット７も示されている。
【００５０】
一実施形態では、セル間干渉モジュール２７は、加算器ノード３８と、複数の処理モジュール３９．２、…、３９．Ｎを備える。
【００５１】
加算器ノード３８の入力は、主要信号、すなわち加算器ノード３８が属する（したがって、ＳＤＲアップリンク・ステージ１４．１のサービング・セルに結合されたモバイル端末の通信であることを示す）、ＳＤＲアップリンク・ステージ１４．１のアップリンク・サブキャリア・ベクトルＳＡＵ１を受け取る。
【００５２】
さらに、加算器ノード３８の各入力は、それぞれ対応する干渉信号ＩＳ２、…、ＩＳＮを受け取る。干渉信号ＩＳ２、…、ＩＳＮは、それぞれのアップリンク伝達関数ＴＦＵ２、…、ＴＦＵＮを用いる処理モジュール３９．２、…、３９．Ｎによって、それぞれのアップリンク・サブキャリア・ベクトルＳＡＵ２、…、ＳＡＵＮから得られる。アップリンク伝達関数ＴＦＵ２、…、ＴＦＵＮは、干渉モバイル端末と、ＳＤＲアップリンク・ステージ１４．１のｅＮｏｄｅＢ３に接続されるシミュレーション・モバイル端末１１との間における減衰を表す。
【００５３】
加算器ノード３８は、変形アップリンク・サブキャリア・ベクトルＳＡＵ１’を決定するために、入力部で受け取った干渉信号ＩＳ２、…、ＩＳＮを、加算器ノード３８が属するＳＤＲアップリンク・ステージ１４．１のアップリンク・サブキャリア・ベクトルＳＡＵ１に加算する。
【００５４】
アップリンク伝達関数ＴＦＵ２、…、ＴＦＵＮは、使用される個別のサブキャリアに依存し、時間変動しうる。一実施形態では、アップリンク伝達関数ＴＦＵ２、…、ＴＦＵＮは線形であり、利得パラメータと極および零点の時定数とによって定義される。このアップリンク伝達関数ＴＦＵ２、…、ＴＦＵＮのパラメータは、例えば容認可能な範囲内でランダムな形で制御ユニット７によって選択され、設定される。この範囲は経験的に決定されうる。アップリンク伝達関数ＴＦＵ２、…、ＴＦＵＮのいくつかはゼロでありうる（例えば、利得パラメータがゼロでありうる）。この場合、対応するシミュレーション・モバイル端末１１は、干渉を一切作り出さない。この選択は、試験シナリオに基づいて操作者によって行われうる（例えば、セル境界に位置するシミュレーション・モバイル端末や、マイクロセル内部に配置されたピコセルまたはフェムトセルに接続されたシミュレーション・モバイル端末など）。制御ユニット７によってパラメータを設定可能にすることにより、サービング・セルごとに、シミュレーションに含むセルと干渉シミュレーション・モバイル端末を選択することが可能になる。
【００５５】
有利なことに、計算負荷の増加が無視できるセル間干渉のシミュレーションの導入が、マッピング・モジュール２５の下流かつＩＦＦＴモジュール２８の上流に配置することによって可能になる。
【００５６】
図７に、ＳＤＲユニット１０の構造が、ダウンリンク動作モードに関して示されている。簡略化するために、図７には、ＳＤＲユニット１０の、ダウンリンク動作に関する部分のみが示されている。ＳＤＲダウンリンク・ステージ１５．１、…、１５．Ｎは、図７にそのうちの１つ（１５．１）が示されているが、ほぼＳＤＲアップリンク・ステージ１４．１、…、１４．Ｎの反転になっている。以下では、ＳＤＲダウンリンク・ステージ１５．１だけについて詳細に説明する。他のＳＤＲダウンリンク・ステージ１５．２、…、１５．Ｎも同一の構造を有し、以下の説明についても同様に、それらに適用されることが理解されよう。
【００５７】
上述の実施形態では、ＳＤＲダウンリンク・ステージ１５．１は、対応する受信器モジュール１３．１に結合される。受信器モジュール１３．１は、ｅＮｏｄｅＢ３からの信号を受け取り、時間領域にサンプル系列を形成する。ＳＤＲダウンリンク・ステージ１５．１は、シリアル−パラレル変換器４０と、ＦＦＴモジュール４２と、セル間干渉モジュール４３と、デマッピング・モジュール４４と、複数の並列処理分岐４５を備える。各並列処理分岐４５は、それぞれのシミュレーション・モバイル端末１１に結合される。シリアル−パラレル変換器４０と、ＦＦＴモジュール４２と、セル間干渉モジュール４３と、デマッピング・モジュール４４は、変換／デマッピング・ステージ５０を形成する。
【００５８】
受信器モジュール１３．１は、受け取った信号の無線周波数−ベースバンド変換とアナログ−デジタル変換を実行する。
【００５９】
受信器モジュール１３．１によって処理されたサンプル・ストリームは、シリアル−パラレル変換器４０に供給される。シリアル−パラレル変換器４０は、サイクリック・プレフィックスを取り除き、ＦＦＴモジュール４２に供給する。
【００６０】
次に、ＦＦＴモジュール４２は、ダウンリンク・サブキャリア・ベクトルＳＡＤ１、…、ＳＡＤＮをセル間干渉モジュール４３に供給する。
【００６１】
図８によりはっきり示されているように、ＳＤＲダウンリンク・ステージ１５．１のダウンリンク・サブキャリア・ベクトルＳＡＤ１は、他のＳＤＲダウンリンク・ステージ１５．２、…、１５．Ｎのセル間干渉モジュール４３にも供給される。さらに、セル間干渉モジュール４３は、他のＳＤＲダウンリンク・ステージ１５．２、…、１５．Ｎのダウンリンク・サブキャリア・ベクトルＳＡＤ２、…、ＳＡＤＮを受け取る。一実施形態では、ＳＤＲダウンリンク・ステージ１５．１のダウンリンク・サブキャリア・ベクトルＳＡＤ１は、他のＳＤＲダウンリンク・ステージ１５．２、…、１５．Ｎのうちの一部だけのセル間干渉モジュール４３に供給されうる。その代わりに、ＳＤＲダウンリンク・ステージ１５．１のセル間干渉モジュール４３は、他のＳＤＲダウンリンク・ステージ１５．２、…、１５．Ｎのうちの一部だけ（少なくとも１つ）のダウンリンク・サブキャリア・ベクトルＳＡＤ２、…、ＳＡＤＮを受け取りうる。
【００６２】
セル間干渉モジュール４３は、隣接する各ｅＮｏｄｅＢ３がそれに接続されたモバイル端末とそれぞれの通信チャンネルを介して通信することによる、セル間干渉の現象をシミュレーションするために、対応するＳＤＲダウンリンク・ステージ１５．１のダウンリンク・サブキャリア・ベクトルＳＡＤ１を、他のＳＤＲダウンリンク・ステージ１５．２、…、１５．Ｎのダウンリンク・サブキャリア・ベクトルＳＡＤ２、…、ＳＡＤＮと結合するように構成される。干渉は、隣接するセルからの信号の重ね合わせによってもたらされ、この隣接するセルからの信号は、ダウンリンク・サブキャリア・ベクトルＳＡＤ１に対して重み付けられた、ＳＤＲダウンリンク・ステージ１５．２、…、１５．Ｎのダウンリンク・サブキャリア・ベクトルＳＡＤ２、…、ＳＡＤＮによって表される。
【００６３】
セル間干渉モジュール４３の構造は、セル間干渉モジュール２７の構造とほぼ同じである（図９）。加算器ノード６０が、サービングｅＮｏｄｅＢ３のダウンリンク・サブキャリア・ベクトルＳＡＤ１と、各ダウンリンク伝達関数ＴＦＤ１、…、ＴＦＤＮを含んだ処理モジュール６１．２、…、６２．Ｎによって重み付けられた、他のＳＤＲダウンリンク・ステージ１５．２、…、１５．Ｎのダウンリンク・サブキャリア・ベクトルＳＡＤ２、…、ＳＡＤＮとを結合する。ダウンリンク伝達関数ＴＦＤ１、…、ＴＦＤＮは、個別のサブキャリアの周波数に依存し、時間変動し、隣接するｅＮｏｄｅＢ３と、ＳＤＲダウンリンク・ステージ１５．１のｅＮｏｄｅＢ３に接続されたシミュレーション・モバイル端末１１との間における減衰を表す。
【００６４】
セル間干渉モジュール４３は、変形ダウンリンク・サブキャリア・ベクトルＳＡＤ１’をデマッピング・モジュール４４に供給する。
【００６５】
デマッピング・モジュール４４は、変形ダウンリンク・サブキャリア・ベクトルＳＡＤ１’を受け取り、ｅＮｏｄｅＢ３によって定められた割り当てに応じて、ベースバンド信号ＳＢＢ１１、…、ＳＢＢ１Ｍを並列処理分岐４５に供給する。
【００６６】
並列処理分岐４５はそれぞれのシミュレーション・モバイル端末１１に結合される。各並列処理分岐４５は、それぞれのシンボル系列をデマッピング・モジュール４４から受け取るチャンネル・シミュレータ・モジュール４６と、ＤＦＴモジュール４７と、復調器４８と、パラレル−シリアル変換器４９を備える。
【００６７】
各並列処理分岐４５では、チャンネル・シミュレータ・モジュール４６が、ＳＤＲアップリンク・ステージ１４．１の並列処理分岐１７のチャンネル・シミュレータ・モジュール２３とほぼ同じ構造を有し、同様に動作する。パラレル−シリアル変換器４９は、復調されたサンプルを各ビット系列に変換し、このビット系列が、それぞれのシミュレーション・モバイル端末１１に供給される。
【００６８】
具体的には（図１０）、各チャンネル・シミュレータ・モジュール４６は、チャンネル・フィルタ５０と、乗算器ノード５１と、複合ノイズ発生器５２と、加算器ノード５３と、を備える。
【００６９】
チャンネル・フィルタ５０は、時変係数セット（例えば利得、極、零点など）によって識別される時変伝達関数によって、一形式の通信チャンネル・モデルを実装する。
【００７０】
乗算器ノード５１は、デマッピング・モジュール４４から、割り当てられたサブキャリア向けのそれぞれ対応するベースバンド信号ＳＢＢ１１、…、ＳＢＢ１Ｍを受け取り、さらに、チャンネル・フィルタ５０の伝達関数を定義する係数セットを受け取る。この割り当てられたサブキャリア向けのベースバンド信号と伝達関数が乗算される。これは、それらの時間領域における畳み込みを計算することと等価である。
【００７１】
複合ノイズ発生器５２は、第１の乱数発生器５５ａおよび第２の乱数発生器５５ｂと、フィルタ５６を備える。第１の乱数発生器５５ａおよび第２の乱数発生器５５ｂは、それぞれノイズの実数部と虚数部に対する乱数を独立して供給する。この両乱数発生器５５ａ、５５ｂの出力に、フィルタ５６が周波数領域における畳み込みによって適用される（第１の乗算器ノード５７ａと第２の乗算器ノード５７ｂ）。フィルタ５６では、領域全体にわたってノイズスペクトル密度が完全に均一とみなされ得ないことを考慮に入れる。次いで、このノイズの実数部と虚数部が、加算器ノード５８によって加算される。
【００７２】
加算器ノード５３は、ベースバンド信号ＳＢＢ１１、…、ＳＢＢ１Ｍと、複合ノイズ発生器５２から供給されるノイズを加算結合する。したがって、この加算器ノード５３の出力は、ｅＮｏｄｅＢ３からの信号に対する通信チャンネルの影響を考慮に入れた、周波数領域の変形ベースバンド信号ＳＢＢ１１’、…、ＳＢＢ１Ｍ’を供給する。
【００７３】
すでに指摘したように、本発明のセル間干渉モジュールを用いることによって、モバイル端末とそのサービング・セルの間の双方向の通信に対する隣接セルの干渉を、計算負荷をほとんど加えずにシミュレーションすることが可能になる。このセル間干渉モジュールの構造と位置によって、処理がほぼベースバンドで行われる。したがって、大きなモバイル端末集団と、無線テレコミュニケーション・ネットワークの様々なｅＮｏｄｅＢとが関わる、現実的なシミュレーションが可能になる。
【００７４】
最後に、添付の請求項に記載の本発明の範囲から逸脱することなしに、説明した試験装置と試験方法に対して修正および変更が行われうることが明らかである。
【符号の説明】
【００７５】
１  テレコミュニケーション・ネットワーク
２  ネットワーク・サブシステム
３  無線基地局、ｅＮｏｄｅＢ
４  モバイル端末
５  モバイル端末シミュレータ
７  制御ユニット
８  プロトコル・シミュレータ・ステージ
１０  ＳＤＲ（ソフトウェア無線）ユニット
１１  シミュレーション・モバイル端末
１２．１、…、１２．Ｎ  ＳＤＲステージ
１３．１、…、１３．Ｎ  送信器／受信器ステージ
１４．１、…、１４．Ｎ  ＳＤＲアップリンク・ステージ
１５．１、…、１５．Ｎ  ＳＤＲダウンリンク・ステージ
１７  並列処理分岐
１８  マッピング／変換ステージ
２０  シリアル−パラレル変換器
２１  シンボル発生器モジュール
２２  ＤＦＴ（離散フーリエ変換）モジュール
２３  チャンネル・シミュレータ・モジュール
２５  マッピング・モジュール
２７  セル間干渉モジュール
２８  ＩＦＦＴ（逆高速フーリエ変換）モジュール
２９  符号化モジュール
３０  パラレル−シリアル変換器、チャンネル・フィルタ
３１  乗算器ノード
３２  複合ノイズ発生器
３３  加算器ノード
３４ａ  第１の乱数発生器
３４ｂ  第２の乱数発生器
３５  フィルタ
３６ａ  第１乗算器ノード
３６ｂ  第２の乗算器ノード
３７  加算器ノード
３８  加算器ノード
３９．２、…、３９．Ｎ  処理モジュール
４０  シリアル−パラレル変換器
４２  ＦＦＴモジュール
４３  セル間干渉モジュール
４４  デマッピング・モジュール
４５  並列処理分岐
４６  チャンネル・シミュレータ・モジュール
４７  ＤＦＴモジュール
４８  復調器
４９  パラレル−シリアル変換器
５０  変換／デマッピング・ステージ、チャンネル・フィルタ
５１  乗算器ノード
５２  複合ノイズ発生器
５３  加算器ノード
５５ａ  第１の乱数発生器
５５ｂ  第２の乱数発生器
５６  フィルタ
５７ａ  第１の乗算器ノード
５７ｂ  第２の乗算器ノード
５８  加算器ノード
６０  加算器ノード
６１．２、…、６２．Ｎ  処理モジュール
【図１】
2017112599.tif 000003
【図２】
2017112599.tif 000004
【図３】
2017112599.tif 000005
【図４】
2017112599.tif 000006
【図５】
2017112599.tif 000007
【図６】
2017112599.tif 000008
【図７】
2017112599.tif 000009
【図８】
2017112599.tif 000010
【図９】
2017112599.tif 000011
【図１０】
2017112599.tif 000012
【外国語明細書】
2017112599000001.pdf